(57)【要約】【課題】音源が前方か、後方かを判別しやすくすることができる補聴器を提供する。【解決手段】本発明は、耳掛用に湾曲させた耳掛け部１と、この耳掛け部１の前端側に結合したイヤホン２と、前記耳掛け部１の後端側に結合した本体ケース３とを備え、前記耳掛け部１には、前記イヤホン２と本体ケース３を電気的に接続する配線４を設け、前記本体ケース３内には、その前端側から後端側に向けて、電気的接続手段５と、前方側マイクロフォン６とを順に設け、この本体ケース３の外壁面で、前記電気的接続手段５の外周部分、またはこの電気的接続手段５よりは本体ケース３の前端側部分に前方側音孔３ｂを設けるとともに、この前方側音孔３ｂよりも後方の本体ケース３の外壁面には後方側音孔３ｃを設け、前記前方側音孔３ｂと前記前方側マイクロフォン６は、電気的接続手段５の外周部分に形成された前方側導音路１０を介して音響的に接続した。【選択図】図１
2010287927.tif 000002
【特許請求の範囲】
【請求項１】
耳掛用に湾曲させた耳掛け部と、この耳掛け部の前端側に結合したイヤホンと、前記耳掛け部の後端側に結合した本体ケースとを備え、前記耳掛け部には、前記イヤホンと本体ケースを電気的に接続する配線を設け、前記本体ケース内には、その前端側から後端側に向けて、電気的接続手段と、マイクロフォンとを順に設け、この本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続した補聴器。
【請求項２】
電気的接続手段は、耳掛け部と、本体ケースとの一方に設けたプラグと、他方に設けたプラグ受けとにより構成した請求項１に記載の補聴器。
【請求項３】
前方側音孔は、本体ケースの前端側から後端側に向けた線の両側に設けた請求項１、または２に記載の補聴器。
【請求項４】
本体ケースは、その前端側から後端側に向けて、放物線状に湾曲しながら下方に下がった形状とした請求項１〜３のいずれか一つに記載の補聴器。
【請求項５】
後方側音孔は、前方側音孔よりも下方に設けた請求項４に記載の補聴器。
【発明の詳細な説明】
【技術分野】
【０００１】
本発明は、耳掛け式の補聴器に関する。
【背景技術】
【０００２】
従来のこの種、耳掛け式補聴器の構成は、次のようになっていた。すなわち、耳掛用に湾曲させた耳掛け部と、この耳掛け部の前端側に結合したイヤホンと、前記耳掛け部の後端側に結合した本体ケースとを備え、前記耳掛け部には、前記イヤホンと本体ケースを電気的に接続する配線を設け、前記本体ケース内には、その前端側から後端側に向けて、電気的接続手段と、マイクロフォンとを順に設け、この本体ケースの外壁面で、本体ケースの前端側部分に前方側音孔を設けるとともに、この前方側音孔よりも後方の本体ケースの外壁面には後方側音孔を設けた構成となっていた（例えば、下記特許文献１）。そして、この補聴器を使用するときには、先ずは、耳の上側に、前記耳掛け部を掛け、次にその状態でイヤホンを耳管に当接、または挿入する。この時、本体ケースは、その前端側から後端側に向けて、放物線状に湾曲しながら下方に下がった形状となっているので、この使用時には、耳の後ろ側にそった状態で配置される。
【先行技術文献】
【特許文献】
【０００３】
【特許文献１】特許第４１２４７６９号公報
【発明の概要】
【発明が解決しようとする課題】
【０００４】
上記従来例では、音源が、使用者の前方側に位置しているのか、あるいは後方側に位置しているのかを判別するために、本体ケースの外壁面で、本体ケースの前端側部分に前方側音孔を設けるとともに、この前方側音孔よりも後方の本体ケースの外壁面には後方側音孔を設けている。つまり、前方側音孔と後方側音孔を前後方向に所定の距離離して設けることにより、そのいずれかの音孔から早く音が聞こえたかにより、音源が前方か、後方かを判別することが出来るようにしているのである。また、音源が前方か、後方かを判別するためには、これらの前方側音孔と後方側音孔を、水平方向で十分離すことが理想的ではあるが、上述のごとく、本体ケースは、装着時に、耳の後ろ側にそった状態で配置されるように、その前端側から後端側に向けて、放物線状に湾曲しながら下方に下がった形状となっているので、水平方向の前後距離は小さくなる。このため、前方側音孔と後方側音孔を、水平方向で十分離すことができず、この結果として音源が前方か、後方かを判別しにくくなることがあった。
【０００５】
そこで本発明は、音源が前方か、後方かを判別しやすくすることを目的とするものである。
【課題を解決するための手段】
【０００６】
そしてこの目的を達成するために本発明は、耳掛用に湾曲させた耳掛け部と、この耳掛け部の前端側に結合したイヤホンと、前記耳掛け部の後端側に結合した本体ケースとを備え、前記耳掛け部には、前記イヤホンと本体ケースを電気的に接続する配線を設け、前記本体ケース内には、その前端側から後端側に向けて、電気的接続手段と、マイクロフォンとを順に設け、この本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続し、これにより所期の目的を達成するものである。
【発明の効果】
【０００７】
以上のように本発明は、耳掛用に湾曲させた耳掛け部と、この耳掛け部の前端側に結合したイヤホンと、前記耳掛け部の後端側に結合した本体ケースとを備え、前記耳掛け部には、前記イヤホンと本体ケースを電気的に接続する配線を設け、前記本体ケース内には、その前端側から後端側に向けて、電気的接続手段と、マイクロフォンとを順に設け、この本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続したものであるので、音源が前方か、後方かを判別しやすくなる。すなわち、本発明においては、本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続したものであるので、前方側音孔を従来よりも本体ケースの前端側に配置し、これによって前方側音孔と後方側音孔を、水平方向で十分離すことができ、この結果として音源が前方か、後方かを判別しやすくなるものである。また、前方側音孔と後方側音孔間の距離を十分に取れるので、その分本体ケース自体の大きさを小さくし、またそれによって装着感を向上させることもできる。
【図面の簡単な説明】
【０００８】
【図１】（ａ）は本発明の一実施形態の正面図、（ｂ）は図１（ａ）のＢ−Ｂ線断面図
【図２】（ａ）は本発明の一実施形態の正面図、（ｂ）は図２（ａ）のＢ−Ｂ線断面図、（ｃ）は図２（ａ）のＣ−Ｃ線断面図、（ｄ）は図２（ａ）のＤ−Ｄ線断面図
【図３】本発明の一実施形態の正面断面図
【図４】本発明の一実施形態の正面断面図
【図５】本発明の一実施形態の正面拡大断面図
【図６】本発明の一実施形態の正面拡大断面図
【発明を実施するための形態】
【０００９】
以下、本発明の一実施の形態の補聴器について、図面を参照しながら説明する。
（実施の形態１）
図１、図２は本発明の一実施形態にかかる補聴器を示し、これは右耳装着用である。本実施形態の補聴器は、これらの図１、図２に示すように、耳掛用に略半円状に湾曲させた耳掛け部１と、この耳掛け部１の前端側に結合したイヤホン２と、前記耳掛け部１の後端側に結合した本体ケース３とを備えている。本体ケース３は、これらの図１、図２に示すように、その前端側から後端側に向けて、放物線状に湾曲しながら下方に下がった形状となっており、使用時には、耳の後ろ側にそった状態で配置される。つまり、この補聴器を使用するときには、先ずは、耳の上側に、前記耳掛け部１を掛け、次にその状態でイヤホン２を耳管（図示せず）に当接、または挿入すれば、上述のごとく、本体ケース３は、耳の後ろ側にそった状態で配置されるのである。
【００１０】
また、前記耳掛け部１には、図３に示すごとく前記イヤホン２と本体ケース３を電気的に接続する配線４が内蔵されている。また、前記本体ケース３内には、この図３に示すように、その前端側から後端側に向けて、電気的接続手段５と、前方側マイクロフォン６、後方側マイクロフォン７、制御素子８、電池９とを順に内蔵させている。なお、前方側マイクロフォン６の後方側と、後方側マイクロフォン７の前方側は、この図３に示すように本体ケース３内において、本体ケース３の前端と後端間の長手方向において、重なった状態となっている。また、後方側マイクロフォン７の後方側と、制御素子８の前方側は、この図３に示すように本体ケース３内において、本体ケース３の前端と後端間の長手方向において、重なった状態となっている。つまり、このように前方側マイクロフォン６、後方側マイクロフォン７、制御素子８を、この図３に示すように本体ケース３内において、本体ケース３の前端と後端間の長手方向において、重なった状態とすることにより、上述した湾曲形状の本体ケース３内に、これらの前方側マイクロフォン６、後方側マイクロフォン７、制御素子８をコンパクトに収納しているのである。
【００１１】
電気的接続手段５は、本実施形態では、配線４の後端に結合したプラグ５ａと、このプラグ５ａを機械的、電気的に着脱自在に結合したプラグ受け５ｂとにより構成しており、このうちプラグ受け５ｂはこの図３に示すように本体ケース３内に配置し、その状態で本体ケース３の前端開口部３ａからプラグ５ａを本体ケース３内に挿入し、プラグ受け５ｂに機械的、電気的に着脱自在に結合するようになっている。なお、本体ケース３は左右兼用のもので、この図３に示す右耳装着用のものを、左耳装着用に変換するためには、左耳用のイヤホン（図示せず）、耳掛け部１、プラグ５ａが装着されたものを用意し、この左耳用のプラグ５ａをプラグ受け５ｂに機械的、電気的に着脱自在に結合すれば良い。もちろん、図３において、プラグ５ａ、耳掛け部１を外さず、右耳用のイヤホン２だけを外して、左耳用のイヤホン（図示せず）を交換しても良い。
【００１２】
さて、このように湾曲形状となった本体ケース３の外壁面で、前記電気的接続手段５を構成するプラグ受け５ｂの外周部分には、前方側音孔３ｂを設けるとともに、この前方側音孔３ｂよりも後方で、制御素子８の外周部分に位置する本体ケース３の外壁面には図１〜図３のごとく後方側音孔３ｃを設けている。なお、これらの前方側音孔３ｂ、および後方側音孔３ｃは、図１〜図３からも理解されるように、本体ケース３の前端側から後端側に向けた線の両側に設けており、これにより上述した左右兼用ができるようにしている。
【００１３】
本実施形態における最も大きな特徴は、上述したように、湾曲形状となった本体ケース３の外壁面で、前記電気的接続手段５を構成するプラグ受け５ｂの外周部分に、前方側音孔３ｂを設けたことである。
【００１４】
この点をさらに詳細に説明すると、本体ケース３の内壁面と、前記電気的接続手段５を構成するプラグ受け５ｂの外周部分間には、図３に示すように空間Ａを設けており、この空間Ａに対応する本体ケース３の外壁面に、前方側音孔３ｂを設けている。また、図１、図３からも理解されるように、プラグ受け５ｂと前方側マイクロフォン６間にも空間Ｂを設けており、これらの空間Ａ、Ｂで形成した前方側導音路１０を介して、前方側音孔３ｂと前方側マイクロフォン６とを音響的に結合している。また、前方側導音路１０の前方側マイクロフォン６手前部分には、防塵用のフィルター１１を設けている。このため、前方側音孔３ｂから本体ケース３内に入った音は、前方側導音路１０、防塵用のフィルター１１を介して前方側マイクロフォン６に伝えられ、この前方側マイクロフォン６で電気信号に変換される。
【００１５】
同じように、後方側音孔３ｃから本体ケース３内に入った音は、防塵用のフィルター１２を介して後方側マイクロフォン７に伝えられ、この後方側マイクロフォン７で電気信号に変換される。そして、これらの前方側マイクロフォン６、後方側マイクロフォン７で変換された電気信号が制御素子８により処理され、増幅され配線４を介してイヤホン２に伝達され、補聴作用を発揮する。
【００１６】
以上の構成をとることにより、本実施形態においては前方側音孔３ｂと後方側音孔３ｃの水平方向（使用者の前、後方向）の距離を大きくすることができるので、前方側音孔３ｂと後方側音孔３ｃが捕らえる音の時間差を大きくすることができ、この結果として音源が前方か、後方かを判別しやすくなるものである。また、前方側音孔３ｂと後方側音孔３ｃ間の距離を十分に取れるので、その分本体ケース３自体の大きさを小さくし、またそれによって装着感を向上させることもできる。
【００１７】
ここで比較のために従来例を説明すると、従来は、図１において本体ケース３内のプラグ受け５ｂ部分は、このプラグ受け５ｂが存在するので、仕方なく、空間Ｂに対応する本体ケース３の外壁部分に前方側音孔３ｂを設けていた。このため、この場合には、前方側音孔３ｂと後方側音孔３ｃの水平方向（使用者の前、後方向）の距離が、例えば前方側音孔３ｂ一個分だけ小さくなり、これにより前方側音孔３ｂと後方側音孔３ｃが捕らえる音の時間差が小さくなり、この結果として音源が前方か、後方かを判別しにくくなっていたのである。
【００１８】
それに対して本実施形態では、前方側音孔３ｂと後方側音孔３ｃの水平方向（使用者の前、後方向）の距離が、例えば前方側音孔３ｂ一個分だけ大きくし、これにより前方側音孔３ｂと後方側音孔３ｃが捕らえる音の時間差を大きくし、その結果として音源が前方か、後方かを判別しやすくできるのである。そもそも、本体ケース３は上述のごとく、耳の後ろ側にそった状態で配置されるのであり、水平方向の大きさは小さいものであるので、上述のごとく前方側音孔３ｂ一個分だけでも、前方側音孔３ｂと後方側音孔３ｃの水平方向（使用者の前、後方向）の距離を大きくできるということは、前方側音孔３ｂと後方側音孔３ｃが捕らえる音の時間差を極めて大きくできるということであり、その結果として音源が前方か、後方かを極めて判別しやすいものとできるのである。なお、プラグ受け５ｂの外周部分よりは本体ケース３の前端側部分に前方側音孔３ｂを設ければ、さらにその効果を高くすることができるが、その時には、図１に示すプラグ５ａの外周部分と、本体ケース３の内周部分との間に空間Ａを設けることが必要となる。
【００１９】
次に本実施形態における他の特徴部分について説明する。本実施形態においても、上述のごとく本体ケース３の後端部に、図４〜図６に示すごとく電池９が収納されているが、この電池９交換のために、この電池９は回動自在の電池ケース１３内に着脱自在に収納されている。
【００２０】
これらの図４〜図６に示すごとく、電池ケース１３の回動軸１４は、本体ケース３の後端部で、湾曲内側（装着時の耳側）に設けられており、電池９の交換時には図１の状態で、本体ケース３の外に位置している電池ケース１３の開放突起１３ａを指（図示せず）で図４の右方向に回動させる。すると、電池ケース１３は、この図４に示すように、回動軸１４を中心に回動し、電池ケース１３が本体ケース３外に突出する。このため、この状態で、使用済みの電池９と使用前の電池９を交換することができる。また、この電池９の交換後には、回動軸１４を中心に、電池ケース１３を図４の左側に回動させ、電池ケース１３を本体ケース３内に収納させる。このように、電池ケース１３を本体ケース３内に収納させた時には、図６に示すごとく、電池ケース１３に設けたロック用突起１３ｂが、本体ケース３のロック用突起３ｄに係合し、これにて電池ケース１３が本体ケース３内にロック状態で収納される。
【００２１】
さて本体ケース３の後端部で、湾曲外側（装着時の耳とは反対側）には、図４〜図６に示すように通信用端子１５を挿入する挿入口１６が設けられている。すなわち、本体ケース３の後端部内で、湾曲外側（装着時の耳とは反対側）には、フィッテイングを行うための通信用端子１７が設けられており、フィッテイング時には、上述した電池ケース１３を図４のごとく開放し、その状態で、挿入口１６から通信用端子１５を図４、図５のごとく挿入する。
【００２２】
この時、電池ケース１３が開放しているので、通信用端子１５の挿入状態、および通信用端子１５、１７との相対位置を目視確認することができ、作業性の良いものとなる。そして、この通信用端子１５、１７の相対位置を目視確認後、電池ケース１３を図４、図５の状態から、図６のごとく本体ケース３内に収納させれば、電池ケース１３の押圧突起１３ｃが通信用端子１５を、通信用端子１７に押し付け、これにより通信用端子１５、１７間の電気的な接続が行われる。したがって、この状態で、制御素子８を駆動し、フィッテイングが行われるのである。
【産業上の利用可能性】
【００２３】
以上のように本発明は、耳掛用に湾曲させた耳掛け部と、この耳掛け部の前端側に結合したイヤホンと、前記耳掛け部の後端側に結合した本体ケースとを備え、前記耳掛け部には、前記イヤホンと本体ケースを電気的に接続する配線を設け、前記本体ケース内には、その前端側から後端側に向けて、電気的接続手段と、マイクロフォンとを順に設け、この本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続したものであるので、音源が前方か、後方かを判別しやすくなる。すなわち、本発明においては、本体ケースの外壁面で、前記電気的接続手段の外周部分、またはこの電気的接続手段よりは本体ケースの前端側部分に前方側音孔を設けるとともに、この前方側音孔よりも後方の本体ケースの外壁面には後方側音孔を設け、前記前方側音孔と前記マイクロフォンは、電気的接続手段の外周部分に形成された前方側導音路を介して音響的に接続したものであるので、前方側音孔を従来よりも本体ケースの前端側に配置し、これによって前方側音孔と後方側音孔を、水平方向で十分離すことができ、この結果として音源が前方か、後方かを判別しやすくなるものである。また、前方側音孔と後方側音孔間の距離を十分に取れるので、その分本体ケース自体の大きさを小さくし、またそれによって装着感を向上させることもできる。したがって、補聴器として、活用が期待されるものとなる。
【符号の説明】
【００２４】
１    耳掛け部
２    イヤホン
３    本体ケース
３ａ    前端開口部
３ｂ    前方側音孔
３ｃ    後方側音孔
３ｄ    ロック用突起
４    配線
５    電気的接続手段
５ａ    プラグ
５ｂ    プラグ受け
６    前方側マイクロフォン
７    後方側マイクロフォン
８    制御素子
９    電池
１０    前方側導音路
１１、１２    防塵用のフィルター
１３    電池ケース
１３ａ    開放突起
１３ｂ    ロック用突起
１３ｃ    押圧突起
１４    回動軸
１５    通信用端子
１６    挿入口
１７    通信用端子
【図１】
2010287927.tif 000003
【図２】
2010287927.tif 000004
【図３】
2010287927.tif 000005
【図４】
2010287927.tif 000006
【図５】
2010287927.tif 000007
【図６】
2010287927.tif 000008
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
耳掛用に湾曲させた耳掛け部と、この耳掛け部の前端側に結合したイヤホンと、前記耳掛け部の後端側に結合した本体ケースとを備え、
前記耳掛け部には、前記イヤホンと前記本体ケースを電気的に接続する配線を設け、
前記本体ケース内には、その前端側から後端側に向けて、前記配線の電気的接続手段と、前方側マイクロフォンと、後方側マイクロフォンとを順に設け、
この本体ケースの外壁面で、前記電気的接続手段の外周部分、またはこの電気的接続手段よりは前記本体ケースの前端側部分に前方側音孔を設けるとともに、この前方側音孔よりも後方の本体ケースの外壁面には後方側音孔を設け、
前記前方側音孔と前記前方側マイクロフォンは、前方側導音路を介して音響的に接続し、前記前方側導音路は、前記本体ケース内において、前記電気的接続手段と前記前方側マイクロフォン間に形成した第一の空間と、前記本体ケースの内壁面と前記電気的接続手段の外周部分間に形成した第二の空間とを有し、
前記後方側音孔と前記後方側マイクロフォンは音響的に接続した補聴器。
【請求項２】
前記電気的接続手段は、前記耳掛け部と、前記本体ケースとの一方に設けたプラグと、他方に設けたプラグ受けとにより構成した請求項１に記載の補聴器。
【請求項３】
前記前方側音孔は、前記本体ケースの前端側から後端側に向けた線の両側に設けた請求項１、または２に記載の補聴器。
【請求項４】
前記本体ケースは、その前端側から後端側に向けて、放物線状に湾曲しながら下方に下がった形状とした請求項１〜３のいずれか一つに記載の補聴器。
【請求項５】
前記後方側音孔は、前記前方側音孔よりも下方に設けた請求項４に記載の補聴器。
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
耳掛用に湾曲させた耳掛け部と、この耳掛け部の前端側に結合したイヤホンと、前記耳掛け部の後端側に結合した本体ケースとを備え、
前記耳掛け部には、前記イヤホンと前記本体ケースを電気的に接続する配線を設け、
前記本体ケース内には、その前端側から後端側に向けて、前記配線の電気的接続手段と、前方側マイクロフォンと、後方側マイクロフォンとを順に設け、
この本体ケースの外壁面で、前記電気的接続手段の外周部分、またはこの電気的接続手段よりは前記本体ケースの前端側部分に前方側音孔を設けるとともに、この前方側音孔よりも後方の本体ケースの外壁面には後方側音孔を設け、
前記前方側音孔と前記前方側マイクロフォンは、前方側導音路を介して音響的に接続し、前記前方側導音路は、前記本体ケース内において前記本体ケースの内壁面と前記電気的接続手段の外周部分間に形成した第一の空間と、前記電気的接続手段と前記前方側マイクロフォン間に形成した第二の空間と、を有し、
前記第一の空間に対応する前記本体ケースの外壁面に前記前方側音孔を設け、
前記後方側音孔と前記後方側マイクロフォンは音響的に接続した補聴器。
【請求項２】
前記電気的接続手段は、前記耳掛け部と、前記本体ケースとの一方に設けたプラグと、他方に設けたプラグ受けとにより構成した請求項１に記載の補聴器。
【請求項３】
前記前方側音孔は、前記本体ケースの前端側から後端側に向けた線の両側に設けた請求項１、または２に記載の補聴器。
【請求項４】
前記本体ケースは、その前端側から後端側に向けて、放物線状に湾曲しながら下方に下がった形状とした請求項１〜３のいずれか一つに記載の補聴器。
【請求項５】
前記後方側音孔は、前記前方側音孔よりも下方に設けた請求項４に記載の補聴器。
【手続補正２】
【補正対象書類名】明細書
【補正対象項目名】０００６
【補正方法】変更
【補正の内容】
【０００６】
本発明の補聴器は、耳掛用に湾曲させた耳掛け部と、この耳掛け部の前端側に結合したイヤホンと、前記耳掛け部の後端側に結合した本体ケースとを備え、前記耳掛け部には、前記イヤホンと前記本体ケースを電気的に接続する配線を設け、前記本体ケース内には、その前端側から後端側に向けて、前記配線の電気的接続手段と、前方側マイクロフォンと、後方側マイクロフォンとを順に設け、この本体ケースの外壁面で、前記電気的接続手段の外周部分、またはこの電気的接続手段よりは前記本体ケースの前端側部分に前方側音孔を設けるとともに、この前方側音孔よりも後方の本体ケースの外壁面には後方側音孔を設け、
前記前方側音孔と前記前方側マイクロフォンは、前方側導音路を介して音響的に接続し、前記前方側導音路は、前記本体ケース内において前記本体ケースの内壁面と前記電気的接続手段の外周部分間に形成した第一の空間と、前記電気的接続手段と前記前方側マイクロフォン間に形成した第二の空間と、を有し、前記第一の空間に対応する前記本体ケースの外壁面に前記前方側音孔を設け、前記後方側音孔と前記後方側マイクロフォンは音響的に接続し、これにより上記の課題を解決する。
【手続補正３】
【補正対象書類名】明細書
【補正対象項目名】０００７
【補正方法】変更
【補正の内容】
【０００７】
本発明の補聴器は、前方側導音路が、本体ケース内において本体ケースの内壁面と電気的接続手段の外周部分間に形成した第一の空間と、電気的接続手段と前方側マイクロフォン間に形成した第二の空間と、を有し、第一の空間に対応する本体ケースの外壁面に前方側音孔を設けている。従って、前方側音孔と後方側音孔の水平方向（使用者の前、後方向）の距離を大きくすることができるので、前方側音孔と後方側音孔が捕らえる音の時間差を大きくすることができ、この結果として音源が前方か、後方かを判別しやすくできる。また、前方側音孔と後方側音孔間の距離を十分に取れるので、その分本体ケース自体の大きさを小さくし、またそれによって装着感を向上させることもできる。